(57)【要約】【課題】  レンズ装置を撮像装置に取り付ける際に，煩雑な手順を行うことなく，レンズの焦点位置と撮像素子の受光面とを容易に合致させることが可能な撮像装置システムおよびレンズ装置を提供する。【解決手段】  本発明の撮像装置システムは，カメラ装置１０と，カメラ装置１０に着脱可能なレンズ装置２０とからなり，カメラ装置１０は，撮像素子１４を光軸方向に移動可能に支持する撮像素子支持機構を有し，レンズ装置２０は，カメラ装置１０に装着されるマウント部２６と，撮像素子１４の受光面１４ａの位置を位置決めするためにマウント部２６に取り付けられる位置決め部材２８とを有する。レンズ装置２０をカメラ装置１０に装着したときに，位置決め部材２８のカメラ装置側端面２８ｃと撮像素子１４のレンズ装置側端面１４ａとが当接することにより，撮像素子１４の受光面１４ａの位置が位置決めされる。【選択図】    図１
2007241103.tif 000002
【特許請求の範囲】
【請求項１】
カメラ装置と，前記カメラ装置に着脱可能なレンズ装置とからなる撮像装置であって：
前記カメラ装置は，撮像素子を光軸方向に移動可能に支持する撮像素子支持機構を有し，
前記レンズ装置は，前記カメラ装置に装着されるマウント部と，前記撮像素子の受光面の位置を位置決めするために前記マウント部に取り付けられる位置決め部材と，を有し，
前記位置決め部材は，前記レンズ装置のフランジ面から前記位置決め部材の前記カメラ装置側端面までの長さをＬ１，フランジバック長をＬ，前記撮像素子の前記レンズ装置側端面から受光面までの光軸方向の長さをＬ２としたときに，Ｌ１＝Ｌ−Ｌ２となるように前記マウント部から突出して配されており，
前記レンズ装置を前記カメラ装置に装着したときに，前記位置決め部材の前記カメラ装置側端面と前記撮像素子の前記レンズ装置側端面とが当接することにより，前記撮像素子の受光面の位置が前記レンズ装置の焦点位置に合致するように位置決めされることを特徴とする，撮像装置。
【請求項２】
前記撮像素子支持機構は，前記撮像素子を光軸方向に沿って前記レンズ装置側に押圧する弾性部材を備え，
前記レンズ装置を前記カメラ装置に装着したときに，前記位置決め部材の前記カメラ装置側端面と前記撮像素子の前記レンズ装置側端面とが当接し，さらに，前記位置決め部材により前記撮像素子を光軸方向に沿って前記レンズ装置の他側に押入することにより，前記撮像素子の受光面の位置が位置決めされることを特徴とする，請求項１に記載の撮像装置。
【請求項３】
前記撮像素子支持機構は，前記撮像素子を光軸方向に沿って移動させる移動機構を備え，
前記レンズ装置を前記カメラ装置に装着したときに，前記撮像素子を前記移動機構により光軸方向に沿って前記レンズ装置側に移動させ，前記位置決め部材の前記カメラ装置側端面と前記撮像素子の前記レンズ装置側端面とを当接させることにより，前記撮像素子の受光面の位置が位置決めされることを特徴とする，請求項１に記載の撮像装置。
【請求項４】
前記撮像素子の種類及び／又は前記レンズ装置の焦点距離に応じた複数種類の形状の前記位置決め部材を前記マウント部に選択的に取り付け可能であることを特徴とする，請求項１〜３のいずれかに記載の撮像装置。
【請求項５】
１または２以上のレンズを有し，撮像素子を光軸方向に移動可能に支持する撮像素子支持機構を有するカメラ装置に着脱可能なレンズ装置であって：
前記カメラ装置に装着されるマウント部と；
前記撮像素子の受光面の位置を位置決めするために前記マウント部に取り付けられる位置決め部材と；
を備え，
前記位置決め部材は，前記レンズ装置のフランジ面から前記位置決め部材の前記カメラ装置側端面までの長さをＬ１，フランジバック長をＬ，前記撮像素子の前記レンズ装置側端面から受光面までの光軸方向の長さをＬ２としたときに，Ｌ１＝Ｌ−Ｌ２となるように前記マウント部から突出して配されており，
前記マウント部を前記カメラ装置に装着したときに，前記位置決め部材の前記カメラ装置側端面と前記撮像素子の前記レンズ装置側端面とが当接することにより，前記撮像素子の受光面の位置が前記レンズ装置の焦点位置に合致するように位置決めされることを特徴とする，レンズ装置。
【請求項６】
前記撮像素子支持機構は，前記撮像素子を光軸方向に沿って前記レンズ装置側に押圧する弾性部材を備え，
前記レンズ装置を前記カメラ装置に装着したときに，前記位置決め部材の前記カメラ装置側端面と前記撮像素子の前記レンズ装置側端面とが当接し，さらに，前記位置決め部材により前記撮像素子を光軸方向に沿って前記レンズ装置の他側に押入することにより，前記撮像素子の受光面の位置が位置決めされることを特徴とする，請求項５に記載のレンズ装置。
【請求項７】
前記撮像素子支持機構は，前記撮像素子を光軸方向に沿って移動させる移動機構を備え，
前記レンズ装置を前記カメラ装置に装着したときに，前記撮像素子を前記移動機構により光軸方向に沿って前記レンズ装置側に移動させ，前記位置決め部材の前記カメラ装置側端面と前記撮像素子の前記レンズ装置側端面とを当接させることにより，前記撮像素子の受光面の位置が位置決めされることを特徴とする，請求項５に記載のレンズ装置。
【請求項８】
前記撮像素子の種類及び／又は前記レンズ装置の焦点距離に応じた複数種類の形状の前記位置決め部材を前記マウント部に選択的に取り付け可能であることを特徴とする，請求項５〜７のいずれかに記載のレンズ装置。
【発明の詳細な説明】
【技術分野】
【０００１】
本発明は，撮像装置およびレンズ装置に関し，特に，レンズ装置をカメラ装置に取り付ける際のＣＣＤの受光面の位置決めが容易な撮像装置およびレンズ装置に関する。
【背景技術】
【０００２】
カメラ装置と，カメラ装置に着脱可能なレンズ装置とからなる撮像装置においては，レンズ装置をカメラ装置に取り付ける際に，カメラ装置のフランジバックとレンズ装置のフランジバックとが合致するように，言い換えると，カメラ装置に備えられた撮像素子の受光面の位置がレンズ装置の焦点位置に合致するように調整する必要がある。
【０００３】
このようなフランジバックの調整，すなわち，撮像素子の受光面の位置の調整は，従来は，撮影者が，レンズ装置の焦点位置に受光面の位置を合致させて，結像位置と結像面が一致するように，撮像素子を移動させるという操作が必要である。
【０００４】
【特許文献１】特開平２−１３６８３９号公報
【発明の開示】
【発明が解決しようとする課題】
【０００５】
しかしながら，上記のようなフランジバックの調整（撮像素子の受光面の位置の調整）のための撮像素子を移動させる操作を行う際には，例えば，映像を見ながら，以下の（１）〜（６）のような煩雑な操作を行わなければならない，という問題があった。
（１）なるべく遠い被写体を目標物とする。
（２）フォーカスを無限遠（∞）に設定する。
（３）ズームレンズをワイド（広角）端に設定して，ＣＣＤもしくはトラッキングレンズを動かし，ピントを合わせる。
（４）ズームをテレ（望遠）端に設定してフォーカスレンズを動かし，ピントを合わせる。
（５）ズーミングを行ってもピントがぼけなくなるまで（３），（４）の作業を繰り返す。
（６）ズーミングを行ってもピントがぼけなくなったら，ＣＣＤもしくはトラッキングレンズを固定する。
【０００６】
そこで，本発明は，このような問題に鑑みてなされたもので，その目的は，レンズ装置をカメラ装置に取り付ける際に，煩雑な操作を行うことなく，レンズの焦点位置と撮像素子の受光面とを容易に合致させることが可能な，新規かつ改良された撮像装置およびレンズ装置を提供することにある。
【課題を解決するための手段】
【０００７】
上記課題を解決するために，本発明のある観点によれば，カメラ装置と，カメラ装置に着脱可能なレンズ装置とからなる撮像装置であって，以下の構成を有するものが提供される。すなわち，上記カメラ装置は，撮像素子を光軸方向に移動可能に支持する撮像素子支持機構を有し，上記レンズ装置は，カメラ装置に装着されるマウント部と，撮像素子の受光面の位置を位置決めするためにマウント部に取り付けられる位置決め部材とを有する。ここで，位置決め部材は，レンズ装置のフランジ面から位置決め部材のカメラ装置側端面までの長さをＬ１，フランジバック長をＬ，撮像素子のレンズ装置側端面から受光面までの光軸方向の長さをＬ２としたときに，Ｌ１＝Ｌ−Ｌ２となるようにマウント部から突出して配されている。また，上記撮像装置においては，レンズ装置をカメラ装置に装着したときに，位置決め部材のカメラ装置側端面と撮像素子のレンズ装置側端面とが当接することにより，撮像素子の受光面の位置がレンズ装置の焦点位置に合致するように位置決めされる。
【０００８】
また，上記課題を解決するために，本発明の別の観点によれば，１または２以上のレンズを有し，撮像素子を光軸方向に移動可能に支持する撮像素子支持機構を有するカメラ装置に着脱可能なレンズ装置であって，以下の構成を有するものが提供される。すなわち，上記レンズ装置は，カメラ装置に装着されるマウント部と，撮像素子の受光面の位置を位置決めするためにマウント部に取り付けられる位置決め部材とを備える。ここで，位置決め部材は，レンズ装置のフランジ面から位置決め部材のカメラ装置側端面までの長さをＬ１，フランジバック長をＬ，撮像素子のレンズ装置側端面から受光面までの光軸方向の長さをＬ２としたときに，Ｌ１＝Ｌ−Ｌ２となるようにマウント部から突出して配されている。また，上記レンズ装置においては，マウント部をカメラ装置に装着したときに，位置決め部材のカメラ装置側端面と撮像素子のレンズ装置側端面とが当接することにより，撮像素子の受光面の位置がレンズ装置の焦点位置に合致するように位置決めされる。
【０００９】
このように，本発明に係る撮像装置やレンズ装置によれば，位置決め部材の形状を，予めレンズ装置のフランジ面から位置決め部材のカメラ装置側端面までの長さＬ１がフランジバック長Ｌから撮像素子のレンズ装置側端面から受光面までの光軸方向の長さＬ２を引いた長さとなるように定めておき，レンズ装置をカメラ装置に装着したときに，位置決め部材の撮像装置側端面と撮像素子のレンズ装置側端面とが当接することにより，他に煩雑な操作を行うことなく，レンズの焦点位置と撮像素子の受光面とを容易に合致させることができる。
【００１０】
また，上記撮像装置および上記レンズ装置において，上記撮像素子支持機構は，撮像素子を光軸方向に沿ってレンズ装置側に押圧する弾性部材を備えていてもよい。この場合には，レンズ装置をカメラ装置に装着したときに，位置決め部材のカメラ装置側端面と撮像素子のレンズ装置側端面とが当接し，さらに，位置決め部材により撮像素子を光軸方向に沿ってレンズ装置の他側に押入することにより，撮像素子の受光面の位置が位置決めされる。
【００１１】
撮像素子支持機構が上記構成を有することにより，位置決め部材のカメラ装置側端面を撮像素子のレンズ装置側端面とが当接した状態のまま，すなわち，レンズの焦点位置と撮像素子の受光面とが合致したままレンズ装置をカメラ装置に装着することができるので，レンズ装置をカメラ装置に装着すれば，自動的にレンズの焦点位置と撮像素子の受光面とが合致した状態となるため，他に煩雑な操作を行うことなく，レンズの焦点位置と撮像素子の受光面とを容易に合致させることができる。
【００１２】
また，上記撮像装置および上記レンズ装置において，上記撮像素子支持機構は，上述した弾性部材の代わりに，撮像素子を光軸方向に沿って移動させる移動機構を備えていてもよい。このような移動機構としては，例えば，ボールねじを使用したねじ送り機構などがある。この場合には，レンズ装置をカメラ装置に装着したときに，撮像素子を移動機構により光軸方向に沿ってレンズ装置側に移動させ，位置決め部材のカメラ装置側端面と撮像素子のレンズ装置側端面とを当接させることにより，撮像素子の受光面の位置が位置決めされる。
【００１３】
撮像素子支持機構が上記構成を有することにより，レンズ装置をカメラ装置に装着した後に，上記移動機構により，撮像素子の受光面を位置決め部材のカメラ装置側端面に当接させるだけで，他に特別な操作を行うことなく，レンズの焦点位置と撮像素子の受光面とを容易に合致させることができる。
【００１４】
また，上記撮像装置および上記レンズ装置は，撮像素子の種類（例えば，光軸方向の厚みや結像位置等の異なる撮像素子）及び／又はレンズ装置の焦点距離に応じた複数種類の形状の位置決め部材をマウント部に選択的に取り付け可能であるように構成してもよい。この場合，位置決め部材の形状は，レンズ装置のフランジ面から位置決め部材のカメラ装置側端面までの長さＬ１がフランジバック長Ｌから撮像素子のレンズ装置側端面から受光面までの光軸方向の長さＬ２を引いた長さとなるような形状に形成される。
【００１５】
このように，撮像素子の種類等に応じた複数種類の形状の位置決め部材をマウント部に選択的に取り付け可能であるように構成することにより，撮像素子の種類を変えたりした場合でも，位置決め部材のみをその撮像素子に対応したものに交換するだけで，他に煩雑な操作を行うことなく，レンズの焦点位置と撮像素子の受光面とを容易に合致させることができる。また，マウント部やレンズ装置自体を交換する必要もないので，コスト的にも有利である。
【発明の効果】
【００１６】
本発明によれば，レンズ装置をカメラ装置に取り付ける際に，煩雑な操作を行うことなく，レンズの焦点位置と撮像素子の受光面とを容易に合致させることが可能な撮像装置およびレンズ装置を提供することができる。
【発明を実施するための最良の形態】
【００１７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１８】
（第１の実施形態）
まず，図１に基づいて，本発明の第１の実施形態に係る撮像装置１の構成について説明する。なお，図１は，本実施形態に係る撮像装置１の構成を示す側面図であり，（ａ）は，レンズ装置２０をカメラ装置１０に装着する前の状態を示し，（ｂ）は，レンズ装置２０をカメラ装置１０に装着した後の状態を示している。
【００１９】
図１に示すように，本実施形態に係る撮像装置１は，カメラ装置１０と，カメラ装置１０に着脱可能なレンズ装置２０とからなる。
【００２０】
カメラ装置１０は，カメラ筐体１２と，カメラ筐体１２の内部に収容された撮像素子の一例としてのＣＣＤ１４とを主に備える。
【００２１】
本実施形態に係るカメラ筐体１２の内部には，レンズ装置２０側に，後述するマウント部２６の直径と略同一の内径を有する第１領域と，第１領域に隣接したレンズ装置２０の他側に，第１領域の内径よりも大きな内径を有する第２領域とが形成されており，第１領域と第２領域との境界には，段差部１２ｂが形成されている。また，カメラ筐体１２内周面の第１領域の前端部（レンズ装置２０側の端部）には，カメラ側ねじ部１２ａが形成されている。
【００２２】
本実施形態に係るＣＣＤ１４は，小径の円筒部に大径の円筒部１５が組み合わさってＣＣＤユニットを形成しており，小径の円筒部がレンズ装置２０側に配されている。なお，大径の円筒部１５は，ＣＣＤ１４を支持する支持部として機能している。また，上記小径の円筒部の直径は，カメラ筐体１２内部の第１領域の内径よりも小さく，上記大径の円筒部の直径は，カメラ筐体１２内部の第２領域の内径と略同一かそれよりも若干小さい。このため，ＣＣＤ１４は，カメラ筐体１２内部の第２領域（段差部１２ｂからカメラ筐体１２の後端部（レンズ装置２０の他側の端部まで）を光軸方向に沿って移動することができる。なお，ＣＣＤ１４の受光面は，本実施形態においては，上記小径の円筒部における光軸方向の中央部の面（図示せず）としている。また，ＣＣＤ１４の形状は，上述のような円筒形には限定されず，例えば，大小２つの直方体が組み合わさった形状であってもよい。
【００２３】
また，カメラ装置１０は，ＣＣＤ１４を光軸Ｐ方向に移動可能に支持する撮像素子支持機構（図４および図５を参照）を有するが，その詳細については後述する。
【００２４】
次に，図１とともに図２および図３も参照しながら，本実施形態に係るレンズ装置２０の構成について説明する。なお，図２は，本実施形態に係るレンズ装置２０の構成を示す断面図であり，図３は，本実施形態に係る位置決め部材２８の構成を示す斜視図である。
【００２５】
レンズ装置２０は，レンズ鏡胴２２と，レンズ鏡胴２２内に配設された第１レンズ２４−１，第２レンズ２４−２と，カメラ装置１０に装着されるマウント部２６と，ＣＣＤ１４の受光面１４ａの位置を位置決めするためにマウント部２６に取り付けられる位置決め部材２８とを主に備える。
【００２６】
レンズ鏡胴２２は略円筒状に形成されており，内部には，レンズ光学系としての第１レンズ２４−１，第２レンズ２４−２の他に，絞り機構（図示せず），ズーム機構（図示せず）などが配設されている。また，第１レンズ２４−１と第２レンズ２４−２とは，それぞれ，第１レンズ支持部材２５−１，第２レンズ支持部材２５−２により支持されており，レンズ鏡胴２２内において，光軸Ｐ方向に沿って前後に並んで配置されている。
【００２７】
マウント部２６は，レンズ鏡胴２２のカメラ装置１０側の端部に配設された例えば略円筒状のカメラ装置１０との連結部である。マウント部２６の外周には，図１および図２に示すように，カメラ装置１０に装着するためにレンズ側ねじ部２６ａが形成されており，このレンズ側ねじ部２６ａがカメラ装置１０のカメラ筐体１２に形成されたカメラ側ねじ部１２ａと螺合することにより，図１（ｂ）に示すように，レンズ装置２０がカメラ装置１０に装着される。また，マウント部２６の内周には，図２に示すように，位置決め部材２８を取り付けるための位置決め部材用ねじ部２６ｂが形成されている。
【００２８】
位置決め部材２８は，例えば，マウント部２６の径よりも小さな径を有する略円筒状の部材であり，レンズ装置２０のフランジ面２２ａから位置決め部材２８のカメラ装置１０側端面２８ｃまでの長さＬ１が，フランジバック長Ｌから，ＣＣＤ１４のレンズ装置２０側端面から受光面までの光軸方向の長さＬ２を引いた長さに一致するように，マウント部２６から突出して配されている。さらに，このとき，レンズ鏡胴２２のフランジ面２２ａから位置決め部材２８のカメラ装置１０側端面２８ｃまでの距離が，カメラ筐体１２のレンズ装置２０側の端部からレンズ装置２０装着時のＣＣＤ１４のカメラ装置１０側端部１４ａまでの距離と等しくなるように形成されている。
【００２９】
また，位置決め部材２８はカメラ装置１０と干渉しない位置に配設されており，レンズ装置２０がカメラ装置１０に装着されたときに，位置決め部材２８は，カメラ装置１０のカメラ筐体１２の内部に収容される。
【００３０】
ここで，図２および図３に示すように，位置決め部材２８の中心軸付近には，レンズ装置２０から受光して，第１レンズ２４−１および第２レンズ２４−２により集光された光が通過するための開口部２８ａが形成されている。また，位置決め部材２８の外周部には，取り付け用ねじ部２８ｂが形成されており，この取り付けようねじ部２８ｂがマウント部２６の内周に形成された位置決め部材用ねじ部２６ｂと螺合することにより，位置決め部材２８がマウント部２６の内周側に取り付けられる。
【００３１】
また，位置決め部材２８は，撮像素子（本実施形態ではＣＣＤ１４）の種類（結像位置の異なるＣＣＤや，光軸方向の厚みの異なるＣＣＤなど）及び／又はレンズ光学系（例えば，第１レンズ２４−１）の焦点距離などに応じて，異なる形状のものを複数種類用意することができる。すなわち，本実施形態に係るレンズ装置２０においては，このような撮像素子の種類及び／又はレンズ光学系の焦点距離に応じた複数種類の形状の位置決め部材２８を，使用する撮像素子やレンズ光学系に合わせて，マウント部２６に選択的に取り付けることができる。したがって，使用する撮像素子やレンズ光学系に応じた位置決め部材２８を選択してマウント部２６に取り付けることにより，レンズ装置２０をカメラ装置１０に取り付ける際に，煩雑な手順を行うことなく，レンズ装置２０の焦点位置ＦとのＣＣＤ１４の受光面１４ａとを容易に合致させることができる。
【００３２】
以上のような構成を有する撮像装置１は，レンズ装置２０をカメラ装置１０に装着したときに，図１に示すように，位置決め部材２８のカメラ装置１０側端面２８ｃと，ＣＣＤ１４のレンズ装置２０側端面１４ａとが当接することにより，ＣＣＤ１４の受光面の位置が第１レンズ２４−１の焦点位置Ｆに合致するように位置決めされる。
【００３３】
次に，図４に基づいて，本実施形態に係る撮像装置１におけるＣＣＤ１４の位置決め動作の方法について説明する。なお，図４は，本実施形態に係る撮像装置１におけるＣＣＤ１４の位置決め動作の方法を説明するための断面図である。
【００３４】
まず，図４に基づいて，本実施形態に係るカメラ装置１０のうち，撮像素子支持機構の構成について説明する。
【００３５】
図４に示すように，本実施形態に係る撮像素子支持機構は，カメラ装置１０のカメラ筐体１２の内部空間を構成するインロー部１６と，インロー部１６内でのＣＣＤ１４の移動をガイドするガイド部１７と，ＣＣＤ１４を光軸方向に沿ってレンズ装置２０側に押圧する弾性部材の一例としての位置決めバネ１８と，からなる。
【００３６】
インロー部１６は，カメラ筐体１２の内周面によって囲まれた領域であり，上述したカメラ筐体１２内部の第２領域に当たる領域である。このインロー部１６の内径は，上述したように，ＣＣＤ１４の大径の円筒部の直径と略同一かそれよりも若干大きいことから，ＣＣＤ１４は，インロー部１６を光軸方向に沿って移動することができる。
【００３７】
ガイド部１７は，例えば，インロー部１６の下部に光軸方向に沿って延設されたレール状の突起部である。このガイド部１７がＣＣＤ１４（の大径の円筒部）の下部に光軸方向に沿って延設されたガイド溝１４ｃと嵌合することにより（図４（ｃ）を参照），ＣＣＤ１４のインロー部１６内の移動がガイドされる。このように，ＣＣＤ１４がインロー部１６内を移動する際に，ガイド部１７によりＣＣＤ１４の移動をガイドすることにより，ＣＣＤ１４がインロー部１６を移動中に傾いたり，位置がずれたりすることを防止できる。
【００３８】
なお，本実施形態においては，ガイド部１７は，インロー部１６の下部に１箇所設けられた例について説明したが，ガイド部１７の数は１箇所に限られず，ガイド部１７は，例えば，インロー部１６の上下に２箇所，あるいはインロー部１６の上下左右に４箇所設けられていてもよい。また，ガイド部１７の形状も，ＣＣＤ１４のインロー部１６内の移動をガイドするものであれば，本実施形態におけるようなレール状の突起には限られない。
【００３９】
位置決めバネ１８は，本実施形態に係る弾性部材の一例であって，ＣＣＤ１４の後端部（レンズ装置２０他側の端部）とインロー部１６の後端部（レンズ装置２０他側の端部）とをつなぐバネである。この位置決めバネ１８は，その復元力（この場合は位置決めバネ１８が伸びようとする力）により，ＣＣＤ１４を光軸方向に沿ってレンズ装置２０側に常に押圧している。したがって，ＣＣＤ１４は，位置決めバネ１８から，常に光軸方向に沿ってレンズ装置２０側への力を受けているが，図４（ａ）に示すように，ＣＣＤ１４の大径の円筒部のレンズ装置２０側の端面が，カメラ筐体１２内部の段差部１２ｂに当接すると，段差部１２ｂによりＣＣＤ１４が係止され，ＣＣＤ１４はさらにレンズ装置２０側には移動しない。
【００４０】
なお，本実施形態においては，図４（ａ），（ｂ）に示すように，位置決めばね１８が２本設けられているが，位置決めバネ１８の本数は特に限定されない。また，本実施形態に係る弾性部材として用いるバネの種類は，本実施形態に係る位置決めバネ１８のようなコイルバネには限られず，ＣＣＤ１４を光軸方向に沿ってレンズ装置２０側に押圧するものであれば，例えば，板バネ，皿バネ，角バネなどであってもよい。
【００４１】
なお，カメラ装置１０の撮像素子支持機構以外の構成およびレンズ装置２０の構成については，上述したとおりであるので，その説明を省略する。
【００４２】
次に，本実施形態に係る撮像装置１におけるＣＣＤ１４の位置決め動作の方法について詳細に説明する。
【００４３】
レンズ装置２０をカメラ装置１０に装着する前の状態では，図４（ａ）に示すように，ＣＣＤ１４は，位置決めバネ１８からレンズ装置２０側への光軸方向に沿った力を受けるとともに，カメラ筐体１２内の段差部１２ｂによって係止された状態となっている。
【００４４】
この状態で，レンズ装置２０をカメラ装置１０に装着した場合には，まず，位置決め部材２８のカメラ装置１０側端面２８ｃとＣＣＤ１４のレンズ装置２０側端面１４ａとが当接する。ここで，位置決め部材２８の光軸Ｐ方向の長さ，すなわち，フランジ面２２ａからカメラ装置１０側端面２８ｃまでの光軸Ｐ方向の長さが，カメラ筐体１２のレンズ装置２０側の端部からレンズ装置２０装着時のＣＣＤ１４のカメラ装置１０側端部１４ａまでの長さに等しくなるように，位置決め部材２８の形状が定められている。また，カメラ筐体１２のレンズ装置２０側端面からレンズ装置２０装着時のＣＣＤ１４の受光面までの長さがフランジバックＬに等しくなるように形成されている。したがって，位置決め部材２８のカメラ装置１０側端面２８ｃとＣＣＤ１４のレンズ装置２０側端面１４ａとが当接することにより，ＣＣＤ１４の受光面の位置がレンズ装置２０の焦点位置Ｆに合致することとなる。
【００４５】
上記のように，位置決め部材２８のカメラ装置１０側端面２８ｃとＣＣＤ１４のレンズ装置２０側端面１４ａとが当接した状態から，さらに，レンズ装置２０がカメラ装置１０側に挿入されると，位置決めバネ１８からＣＣＤ１４にかかっている力（位置決めバネ１８の復元力）に逆らって，位置決め部材２８により，ＣＣＤ１４が光軸方向に沿ってレンズ装置２０の他側（カメラ装置１０の内部側）に押入される。なお，このように，ＣＣＤ１４が位置決め部材２８により押入されている間，ＣＣＤ１４の受光面の位置がレンズ装置２０の焦点位置Ｆに合致したまま，ＣＣＤ１４は，ガイド部１７にガイドされながら，光軸方向に沿ってレンズ装置２０の他側に移動する。
【００４６】
そして，図４（ｂ）に示すように，レンズ装置２０のフランジ面２２ａがカメラ筐体１２のレンズ装置２０側端面に当接すると，ＣＣＤ１４の受光面の位置がレンズ装置２０の焦点位置Ｆに合致したまま，ＣＣＤ１４の位置が自動的に位置決めされる。なお，このとき，位置決め部材２８がＣＣＤ１４を押圧する力と，位置決めバネ１８がＣＣＤ１４を押圧する力とが釣り合った状態となっているため，ＣＣＤ１４の位置が固定され，ＣＣＤ１４はこの位置で位置決めされる。
【００４７】
このように，本実施形態に係る撮像装置１によれば，位置決め部材２８の形状が，予めフランジ面２２ａから位置決め部材２８のカメラ装置１０側端面２８ｃまでの光軸Ｐ方向の長さが，カメラ筐体１２のレンズ装置２０側の端部からレンズ装置２０装着時のＣＣＤ１４のカメラ装置１０側端部１４ａまでの長さに等しくなるように定められているので，位置決め部材２８のカメラ装置１０側端面２８ｃとＣＣＤ１４のレンズ装置２０側端面１４ａとが当接したときに，レンズ装置２０の焦点位置ＦとＣＣＤ１４の受光面とが合致した状態となる。したがって，撮像素子支持機構が上記構成を有することにより，位置決め部材２８のカメラ装置１０側端面２８ｃをＣＣＤ１４のレンズ装置２０側端面１４ａとが当接した状態のまま，すなわち，レンズの焦点位置ＦとＣＣＤ１４の受光面とが合致したまま，レンズ装置２０をカメラ装置１０に装着することができる。よって，これにより，レンズ装置２０をカメラ装置１０に装着すれば，自動的にレンズ装置２０の焦点位置ＦとＣＣＤ１４の受光面とが合致した状態となるため，他に煩雑な操作を行うことなく，レンズの焦点位置と撮像素子の受光面とを容易に合致させることができる。
【００４８】
（第２の実施形態）
次に，図５に基づいて，本発明の第２の実施形態に係る撮像装置システム２におけるＣＣＤ１４の位置決め動作の方法について説明する。なお，図５は，本実施形態に係る撮像装置２におけるＣＣＤ１４の位置決め動作の方法を説明するための断面図である。
【００４９】
まず，図５に基づいて，本実施形態に係るカメラ装置１０のうち，撮像素子支持機構の構成について説明する。
【００５０】
図５に示すように，本実施形態に係る撮像素子支持機構は，カメラ装置１０のカメラ筐体１２の内部空間を構成するインロー部１６と，インロー部１６内でのＣＣＤ１４の移動をガイドするガイド部１７と，ＣＣＤ１４を光軸方向に沿って移動させる移動機構の一例としてのねじ送り機構１９と，からなる。
【００５１】
インロー部１６およびガイド部１７の構成については，上述した第１の実施形態の場合と同様であるので，その説明を省略する。
【００５２】
ねじ送り機構１９は，本実施形態に係るＣＣＤ１４の移動機構の一例であって，カメラ筐体１２内部のインロー部１６の上部に光軸方向に沿って延設されたボールねじ１９Ａと，ボールねじ１９Ａを回転させるねじ送りダイヤル１９Ｂとを含む。ボールねじ１９ＡはＣＣＤ１４の上部を貫通しており，ねじ送りダイヤル１９Ｂによりボールねじ１９Ａを回転させることにより，ＣＣＤ１４が光軸方向に沿ってインロー部１６を移動する。また，ＣＣＤ１４がねじ送り機構１９により光軸方向に沿って移動するとき，ガイド部１７によりガイドされながら移動するため，ＣＣＤ１４がインロー部１６を移動中に傾いたり，位置がずれたりすることを防止できる。
【００５３】
なお，カメラ装置１０の撮像素子支持機構以外の構成およびレンズ装置２０の構成については，上述した第１の実施形態の場合と同様であるので，その説明を省略する。
【００５４】
次に，本実施形態に係る撮像装置２におけるＣＣＤ１４の位置決め動作の方法について詳細に説明する。
【００５５】
レンズ装置２０をカメラ装置１０に装着する前の状態では，図５（ａ）に示すように，ＣＣＤ１４は，カメラ筐体１２内のインロー部１６において，レンズ装置２０の他側に寄った位置に位置している。すなわち，このとき，ＣＣＤ１４のレンズ装置２０側端面１４ａとカメラ筐体１２のレンズ装置２０側端部との光軸方向の距離がフランジバックＬよりも長くなるような位置に，ＣＣＤ１４が位置している。
【００５６】
本実施形態におけるＣＣＤ１４の位置決め操作を行う場合には，まず，レンズ装置２０をカメラ装置１０に装着する。このとき，レンズ装置２０のフランジ面２２ａとカメラ筐体１２のレンズ装置２０側端部とは当接しているが，位置決め部材２８のカメラ装置１０側端面２８ｃとＣＣＤ１４のレンズ装置２０側端面１４ａとは離隔した状態となっている。
【００５７】
次に，位置決め部材２８のカメラ装置１０側端面２８ｃとＣＣＤ１４のレンズ装置２０側端面１４ａとが離隔した状態から，ねじ送り機構１９によりＣＣＤ１４を，光軸方向に沿ってレンズ装置２０側（図５（ｂ）に矢印で示した方向）に移動させ，図５（ｂ）に示すように，位置決め部材２８のカメラ装置１０側端面２８ｃとＣＣＤ１４のレンズ装置２０側端面１４ａとを当接させる。
【００５８】
ここで，位置決め部材２８の光軸Ｐ方向の長さ，すなわち，フランジ面２２ａからカメラ装置１０側端面２８ｃまでの光軸Ｐ方向の長さが，カメラ筐体１２のレンズ装置２０側の端部からレンズ装置２０装着時のＣＣＤ１４のカメラ装置１０側端部１４ａまでの長さに等しくなるように，位置決め部材２８の形状が定められている。また，カメラ筐体１２のレンズ装置２０側端面からレンズ装置２０装着時のＣＣＤ１４の受光面までの長さがフランジバックＬに等しくなるように形成されている。したがって，位置決め部材２８のカメラ装置１０側端面２８ｃとＣＣＤ１４のレンズ装置２０側端面１４ａとが当接することにより，ＣＣＤ１４の受光面の位置がレンズ装置２０の焦点位置Ｆに合致することとなる。
【００５９】
また，ＣＣＤ１４は，レンズ装置２０側端面１４ａが位置決め部材２８のカメラ装置１０側端面２８ｃと当接することにより係止されるため，これ以上レンズ装置２０側に移動することはない。したがって，ＣＣＤ１４は，ＣＣＤ１４の受光面の位置がレンズ装置２０の焦点位置Ｆに合致した位置で固定され，この位置で位置決めされる。
【００６０】
このように，本実施形態に係る撮像装置２によれば，位置決め部材２８の形状が，予めフランジ面２２ａから位置決め部材２８のカメラ装置１０側端面２８ｃまでの光軸Ｐ方向の長さが，カメラ筐体１２のレンズ装置２０側の端部からレンズ装置２０装着時のＣＣＤ１４のカメラ装置１０側端部１４ａまでの長さに等しくなるように定められているので，位置決め部材２８のカメラ装置１０側端面２８ｃとＣＣＤ１４のレンズ装置２０側端面１４ａとが当接したときに，レンズ装置２０の焦点位置ＦとＣＣＤ１４の受光面とが合致した状態となる。したがって，撮像素子支持機構が上記構成を有することにより，レンズ装置２０をカメラ装置１０に装着した後に，ねじ送り機構１９により，ＣＣＤ１４のレンズ装置２０側端面１４ａを位置決め部材２８のカメラ装置１０側端面２８ｃに当接させるだけで，他に特別な操作を行うことなく，レンズの焦点位置と撮像素子の受光面とを容易に合致させることができる。
【００６１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００６２】
例えば，上述した実施形態においては，位置決め部材２８が着脱可能な場合について説明したが，位置決め部材がマウント部２６と一体的に構成されていてもよい。ただし，使用する撮像素子やレンズ光学系に応じて，マウント部（あるいはレンズ装置全体）を複数用意する必要があり，コスト高となるため，上述した実施形態のように着脱可能な方が好ましい。
【００６３】
また，例えば，上述した実施形態においては，位置決め部材２８の形状が略円筒形である場合について説明したが，位置決め部材の形状は円筒形には限られず，レンズ装置を撮像装置に装着したときに，位置決め部材の撮像装置側端面と撮像素子の受光面とが当接することにより，撮像素子の受光面の位置がレンズ装置の焦点位置に合致するように位置決めされるものであれば，任意の形状を採用することができる。
【００６４】
また，例えば，上述した実施形態においては，撮像素子支持機構に含まれる弾性部材として位置決めバネ２８を適用した場合について説明したが，弾性部材としては，撮像素子をレンズ装置側に向かって弾性的に押圧するものであれば，バネ以外のもの（例えば，ゴムやエラストマーなど）であってもよい。
【００６５】
また，例えば，上述した実施形態においては，ＣＣＤ１４を移動させる移動機構として，ねじ送り機構１９を適用した場合について説明したが，撮像素子の移動機構としては，撮像素子を光軸方向に移動させることができるものであれば，ねじ送り機構には限られない。
【図面の簡単な説明】
【００６６】
【図１】本発明の第１の実施形態に係る撮像装置システムの構成を示す側面図である。
【図２】同実施形態に係るレンズ装置の構成を示す断面図である。
【図３】同実施形態に係る位置決め部材の構成を示す斜視図である。
【図４】同実施形態に係る撮像装置システムにおけるＣＣＤの位置決め動作の方法を説明するための断面図である。
【図５】本発明の第２の実施形態に係る撮像装置システムにおけるＣＣＤの位置決め動作の方法を説明するための断面図である。
【符号の説明】
【００６７】
１      撮像装置
２      撮像装置
１０      カメラ装置
１２      カメラ筐体
１４      ＣＣＤ
１６      インロー部
１７      ガイド部
１８      位置決めバネ
１９      ねじ送り機構
１９Ａ      ボールねじ
１９Ｂ      ねじ送りダイヤル
２０      レンズ装置
２２      レンズ鏡胴
２２ａ      フランジ面
２４−１      第１レンズ
２４−２      第２レンズ
２６      マウント部
２８      位置決め部材
２８ｃ      カメラ装置側端面
Ｐ      光軸
Ｌ      フランジバック
Ｆ      焦点位置
【図１】
2007241103.tif 000003
【図２】
2007241103.tif 000004
【図３】
2007241103.tif 000005
【図４】
2007241103.tif 000006
【図５】
2007241103.tif 000007